【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
第１レーザ光を出射する第１レーザ出射部と、
前記第１レーザ光と異なる波長の第２レーザ光を出射する第２レーザ出射部と、
前記第１レーザ光および前記第２レーザ光を受けて、前記第１レーザ光と前記第２レーザ光とを合波した合波光を出射する波長フィルタ部と、
前記合波光と結合する光ファイバ又は前記光ファイバを固定するためのファイバ固定部と、
を備え、
前記波長フィルタ部は、
対向した前端面および後端面を備え、前記前端面で前記第２レーザ光を受け、前記後端面で前記第１レーザ光を受けるプリズムと、
前記後端面に設けられ、前記後端面に入射する前記第１レーザ光を透過させ、前記前端面から入射した前記第２レーザ光を反射することで前記第１レーザ光と前記第２レーザ光とを合波する波長フィルタ膜と、
を備え、
前記前端面に平行な面と前記後端面に平行な面とが交わる角度であるプリズム角が鋭角を成すように、前記前端面および前記後端面は非平行であり、
前記プリズム角が、前記前端面から前記プリズム内に入射した前記第２レーザ光を前記波長フィルタ膜で前記前端面に反射させて、前記合波光を前記光ファイバの光軸側に向ける角度であることを特徴とする光送信装置。
【請求項２】
前記合波光の光軸と前記第２レーザ光の光軸とが成す角度を光路変更角とし、
前記前端面に対する前記第２レーザ光の入射角をプリズム入射角とし、
前記プリズム入射角が前記光路変更角を超える大きさとなるように前記合波光の光軸に対して前記前端面が傾いていることを特徴とする請求項１に記載の光送信装置。
【請求項３】
前記第２レーザ出射部と前記波長フィルタ部の組が、複数個、前記光ファイバの光軸に沿って直列に並べて設けられ、
複数個の前記波長フィルタ部のうちの一つの前記波長フィルタ部から出射した前記合波光が、次段の前記波長フィルタ部の前記後端面に前記第１レーザ光として入射することを特徴とする請求項１または２に記載の光送信装置。
【請求項４】
複数個並べられた前記第２レーザ出射部と前記波長フィルタ部の組は、第１の組と、前記第１の組の隣に位置する第２の組とを含み、
前記第１の組に属する前記波長フィルタ部と、前記第２の組に属する前記波長フィルタ部とが、前記光ファイバの光軸に対して対称な形状を備え、
前記第１の組に属する前記第２レーザ出射部と、前記第２の組に属する前記第２レーザ出射部とが、前記光ファイバの光軸をはさんで逆の方向から、それぞれの前記波長フィルタ部に対してレーザ光を出射することを特徴とする請求項３に記載の光送信装置。
【請求項５】
前記プリズムそれぞれが、上底面、下底面および前記上底面と前記下底面とを結ぶ２つの斜面とを備えた等脚台形プリズムであり、前記２つの斜面の一方が前記前端面であり、前記２つの斜面の他方が前記後端面であり、
隣り合う２つの前記波長フィルタ部は前記前端面と前記波長フィルタ膜とを接触させて配置され、かつ、隣り合う２つの前記等脚台形プリズムが上底面と下底面とを段違いにして配置されることでそれぞれの前記前端面の一部に露出部が設けられ、
それぞれの前記第２レーザ出射部は、それぞれの前記露出部に前記第２レーザ光を入射させることを特徴とする請求項４に記載の光送信装置。
【請求項６】
前記波長フィルタ部が、
前記プリズムと同じ屈折率を有し、前記プリズムとともに前記波長フィルタ膜を挟み、前記波長フィルタ膜と接する面と反対側に前記第１レーザ光が入射する面を備えた後側プリズムをさらに備え、
前記プリズムの前記前端面と、前記後側プリズムの前記第１レーザ光が入射する面とが、平行であることを特徴とする請求項１乃至４のいずれか１項に記載の光送信装置。
【請求項７】
前記プリズムが、前記プリズム角の側に、底面を備えることを特徴とする請求項６に記載の光送信装置。
【請求項８】
前記波長フィルタ部と前記光ファイバとの間に設けられ、第１の面に前記合波光を受ける偏光ビームスプリッタと、
前記偏光ビームスプリッタの前記第１の面と直角な第２の面にレーザ光を入射させる第３レーザ出射部と、
をさらに備えることを特徴とする請求項１乃至７のいずれか１項に記載の光送信装置。
【請求項９】
第１レーザ光および前記第１レーザ光と異なる波長の第２レーザ光が合波した合波光を受けて、前記合波光を前記第１レーザ光と前記第２レーザ光とに分波する波長フィルタ部と、
前記第１レーザ光を受けるための第１レーザ受光部と、
前記第２レーザ光を受けるための第２レーザ受光部と、
前記合波光を前記波長フィルタ部に伝達する光ファイバ又は前記光ファイバを固定するためのファイバ固定部と、
を備え、
前記波長フィルタ部は、
対向した前端面および後端面を備え、前記前端面で前記合波光を受けるとともに、前記前端面から前記第２レーザ光を出射し、前記後端面から前記第１レーザ光を出射するプリズムと、
前記後端面に設けられ、前記後端面で前記第１レーザ光を透過させ、前記前端面から入射した前記第２レーザ光を反射することで前記第１レーザ光と前記第２レーザ光とを分波する波長フィルタ膜と、
を備え、
前記前端面に平行な面と前記後端面に平行な面とが鋭角のプリズム角を成して交わるように、前記前端面および前記後端面は非平行であり、
前記プリズム角が、前記前端面から前記プリズム内に入射した前記合波光のうち前記第２レーザ光を前記波長フィルタ膜で前記前端面に反射させて、反射させた前記第２レーザ光を前記第２レーザ受光部の光軸側に向ける角度であることを特徴とする光受信装置。
【請求項１０】
前記合波光の光軸と前記第２レーザ光の光軸とが成す角度を光路変更角とし、
前記前端面に対する前記第２レーザ光の入射角をプリズム入射角とし、
前記プリズム入射角が前記光路変更角を超える大きさとなるように前記合波光の光軸に対して前記前端面が傾いていることを特徴とする請求項９に記載の光受信装置。
【請求項１１】
前記第２レーザ受光部と前記波長フィルタ部の組が、複数個、前記光ファイバの光軸に沿って直列に並べて設けられ、
複数個の前記波長フィルタ部のうちの一つの前記波長フィルタ部に入射した合波光が、次段の前記波長フィルタ部の前記前端面に合波光として入射することを特徴とする請求項９または１０に記載の光受信装置。
【請求項１２】
複数個並べられた前記第２レーザ受光部と前記波長フィルタ部の組は、第１の組と、前記第１の組の隣に位置する第２の組とを含み、
前記第１の組に属する前記波長フィルタ部と、前記第２の組に属する前記波長フィルタ部とが、前記光ファイバの光軸に対して対称な形状を備え、
前記第１の組に属する前記第２レーザ受光部と、前記第２の組に属する前記第２レーザ受光部とが、前記光ファイバの光軸をはさんで逆の方向から、それぞれの前記波長フィルタ部からのレーザ光を受光することを特徴とする請求項１１に記載の光受信装置。
【請求項１３】
前記プリズムそれぞれが、上底面、下底面および前記上底面と前記下底面とを結ぶ２つの斜面とを備えた等脚台形プリズムであり、前記２つの斜面の一方が前記前端面であり、前記２つの斜面の他方が前記後端面であり、
隣り合う２つの前記波長フィルタ部は前記前端面と前記波長フィルタ膜とを接触させて配置され、かつ、隣り合う２つの前記等脚台形プリズムが上底面と下底面とを段違いにして配置されることでそれぞれの前記前端面の一部に露出部が設けられ、
それぞれの前記第２レーザ受光部は、それぞれの前記露出部から出射した前記第２レーザ光の光軸上に配置されたことを特徴とする請求項１２に記載の光受信装置。
【請求項１４】
前記波長フィルタ部が、
前記プリズムと同じ屈折率を有し、前記プリズムとともに前記波長フィルタ膜を挟み、前記波長フィルタ膜と接する面と反対側に前記第１レーザ光が入射する面を備えた後側プリズムをさらに備え、
前記プリズムの前記前端面と、前記後側プリズムの前記第１レーザ光が入射する面とが、平行であることを特徴とする請求項９乃至１２のいずれか１項に記載の光受信装置。
【請求項１５】
前記プリズムが、前記プリズム角の側に、底面を備えることを特徴とする請求項１４に記載の光受信装置。
【請求項１６】
前記波長フィルタ部と前記光ファイバとの間に設けられ、第１の面に前記光ファイバからの前記合波光を受ける偏光ビームスプリッタと、
前記偏光ビームスプリッタの前記第１の面と直角な第２の面から出射するレーザ光の光軸上に配置された第３レーザ受光部と、
をさらに備えることを特徴とする請求項９乃至１５のいずれか１項に記載の光受信装置。
【手続補正２】
【補正対象書類名】明細書
【補正対象項目名】００４２
【補正方法】変更
【補正の内容】
【００４２】
波長分離フィルタ５０３ａ、５０３ｂ、５０３ｃ、および５０３ｄは、図１２に代表例として示す波長分離フィルタ５０３ｂからわかるように、平行平板プリズム５３０の後端面に波長分離フィルタ膜５５０を蒸着したものである。光路変更角θ１、プリズム入射角θ´１、フィルタ入射角θ２の考え方は、実施の形態１のときと同様である。また、図１２のθ３は、波長分離フィルタ５０３ｂの後端面へのレーザ光λａの入射角である。
【手続補正３】
【補正対象書類名】明細書
【補正対象項目名】００７３
【補正方法】変更
【補正の内容】
【００７３】
すなわち、光送信装置４１０では、半導体レーザ素子１ａ、１ｂおよび波長分離フィルタ３ａ、３ｂなどの第１構成部品群と、半導体レーザ素子１ｃ、１ｄおよび波長分離フィルタ３ｃ、３ｄなどの第２構成部品群とが、互いに直交する合波光λ４１、λ４２を１つの偏光ビームスプリッタ５０７に入射させている。